(57)【要約】【目的】屋内などに居ながら日の出、日の入りが判り、しかも時刻や季節によって変化する太陽方位や太陽高度を認識できる簡便な時計を提供する。【構成】２４時間で一回転する回転軸３を備えた計時装置２と、回転軸３に対して直交状態に設けられる表示板６と、回転軸３に取り付けられて表示板６に平行する面内で回転する回転体４と、回転軸３に直交する所定の一軸方向に沿って計時装置２及び回転体４と表示板６とを相対的に移動させて、表示板６に対する回転軸３の相対位置を変更可能にするスクロール手段とを有する。回転体４には、回転軸３を中心として回転移動する指標部５が設けられる。【選択図】図１
2008046055.tif 000002
【特許請求の範囲】
【請求項１】
２４時間で一回転する回転軸を備えた計時装置と、前記回転軸に対して直交状態に設けられる表示板と、前記回転軸に取り付けられて前記表示板に平行する面内で回転する回転体と、前記回転軸に直交する所定の一軸方向に沿って前記計時装置及び前記回転体と前記表示板とを相対的に移動させて前記表示板に対する前記回転軸の相対位置を変更可能にするスクロール手段とを有し、
前記回転体には前記回転軸を中心として回転移動する指標部が設けられることを特徴とする時計。
【請求項２】
表示板と回転軸との相対位置関係を示すスケール部が設けられることを特徴とする請求項１記載の時計。
【請求項３】
表示板は、その中央領域の周囲が回転体の指標部の位置を示すための複数の時間帯領域に区分けされ、その各時間帯領域内を前記指標部が順次移動するようにしたことを特徴とする請求項１、又は２記載の時計。
【請求項４】
スクロール手段は、計時装置本体を保持するスライドを有し、そのスライドが前記回転軸に直交する所定の一軸方向に沿って、少なくとも前記回転体を収容するケースに摺動自在に付設される構成とされることを特徴とする請求項１〜３のいずれかに記載の時計。
【請求項５】
ケースには、スライドの摺動方向に沿って延びる送りねじが回転自在に保持され、該送りねじの一端が回転操作部として前記ケースの外部に突出されると共に、前記スライドには前記送りねじに螺合するナット部が設けられることを特徴とする請求項４記載の時計。
【請求項６】
スライドにその摺動方向に沿って延びるラックが取り付けられると共に、ケースには前記ラックに噛合うギヤが回転自在に保持され、該ギヤの軸部の一端が回転操作部として前記ケースの外部に突出されることを特徴とする請求項４記載の時計。
【請求項７】
計時装置は、回転軸と同心の時針軸および分針軸を有し、その時針軸および分針軸に時針および分針が取り付けられると共に、前記計時装置には前記時針および分針に対応して文字盤が固定されることを特徴とする請求項１〜６のいずれかに記載の時計。
【発明の詳細な説明】
【技術分野】
【０００１】
本発明は時計に係わり、特に屋内などに居ながら日の出、日の入りが判り、しかも時刻や季節によって変化する太陽方位や太陽高度を認識できるようにしたアナログ表示式の時計に関する。
【背景技術】
【０００２】
従来、時計として、腕時計や懐中時計といった小型のものから、置時計や掛け時計といった大型のものまで種々のものが存在するが、その多くは単に時刻をアナログ表示あるいはデジタル表示するに過ぎない。
【０００３】
尚、時刻のほか、月日や曜日が表示されるもの、アラーム機能や時間計測機能などを備えたものなども一般に良く知られるが、その種の時計では、時刻や季節によって変化する太陽方位や太陽高度を認識することはできないし、窓のない室内に居た場合には日の出、日の入りをその時点における季節や時刻から推測するほかない。
【０００４】
ここに、日の出日の入り時刻が表される時計として、２４時制の文字盤の前方に現在時刻を示す指針を設け、その先端部に太陽を模した飾りを付けると共に、指針と同軸上に扇形の日の出表示板及び日の入り表示板を設けたものが知られる（例えば、特許文献１）。
【０００５】
【特許文献１】特開平９−２５７９５４号公報（段落００１２〜００２２、図１）
【発明の開示】
【発明が解決しようとする課題】
【０００６】
然しながら、特許文献１によれば、２つの表示板で日の出、日の入り時刻を定めることにより、当該表示板の領域に対する指針の飾りの出入りで日の出、日の入りを認識することはできても、扇形を成す２つの表示板が指針と同軸上に設けられるために季節による太陽高度の変化を示すことができないし、それら表示板の一辺同士が日の出、日の入り時刻により角度をもって交わるようになるので、それらを地平線、水平線としてイメージさせることができず、見る者に違和感を与える。
【０００７】
又、特許文献１では記憶手段により記憶されたデータに基づいて表示板の駆動制御が行われるようにしているので、多くの電子部品やアクチュエータを必要として高コスト、複雑構造となり、しかも使用地域に応じた日の出、日の入り時刻の設定操作も容易でない。
【０００８】
本発明は以上のような事情に鑑みて成されたものであり、その目的は屋内などに居ながら日の出、日の入りが判り、しかも時刻や季節によって変化する太陽方位や太陽高度を認識できる簡便な時計を提供することにある。
【課題を解決するための手段】
【０００９】
上記目的を達成するため、本発明に係る時計は、２４時間で一回転する回転軸を備えた計時装置と、前記回転軸に対して直交状態に設けられる表示板と、前記回転軸に取り付けられて前記表示板に平行する面内で回転する回転体と、前記回転軸に直交する所定の一軸方向に沿って前記計時装置及び前記回転体と前記表示板とを相対的に移動させて前記表示板に対する前記回転軸の相対位置を変更可能にするスクロール手段とを有し、前記回転体には前記回転軸を中心として回転移動する指標部が設けられることを特徴とする。
【００１０】
加えて、表示板と回転軸との相対位置関係を示すスケール部が設けられることを特徴とする。
【００１１】
又、表示板は、その中央領域の周囲が回転体の指標部の位置を示すための複数の時間帯領域に区分けされ、その各時間帯領域内を前記指標部が順次移動するようにしたことを特徴とする。
【００１２】
更に、スクロール手段は、計時装置本体を保持するスライドを有し、そのスライドが前記回転軸に直交する所定の一軸方向に沿って、少なくとも前記回転体を収容するケースに摺動自在に付設される構成とされることを特徴とする。
【００１３】
尚、スクロール手段として、ケースには、スライドの摺動方向に沿って延びる送りねじが回転自在に保持され、該送りねじの一端が回転操作部として前記ケースの外部に突出されると共に、前記スライドには前記送りねじに螺合するナット部が設けられるか、もしくはスライドにその摺動方向に沿って延びるラックが取り付けられると共に、ケースには前記ラックに噛合うギヤが回転自在に保持され、該ギヤの軸部の一端が回転操作部として前記ケースの外部に突出されることが好ましい。
【００１４】
又、上記のような時計において、計時装置は、回転軸と同心の時針軸および分針軸を有し、その時針軸および分針軸に時針および分針が取り付けられると共に、前記計時装置には前記時針および分針に対応して文字盤が固定されることを特徴とする。
【発明の効果】
【００１５】
本発明によれば、計時装置の回転軸に直交する所定の一軸方向に沿って、計時装置及び回転体と表示板とを相対的に移動させて表示板に対する回転軸の相対位置を変更可能にするスクロール手段を有し、回転体には回転軸を中心として回転移動する指標部が設けられることから、季節的に変化する昼夜の時間、日の出日の入り、並びに太陽高度などを表現することができる。
【００１６】
又、表示板と回転軸との相対位置関係を示すスケール部が設けられることから、季節に応じて回転軸を適切な位置に合わせることができる。
【００１７】
加えて、表示板が複数の時間帯領域に区分けされ、その各時間帯領域内を指標部が順次移動するようにしていることから、指標部が位置する時間帯領域により太陽方位や大よその時刻を知見することができる。
【００１８】
更に、スクロール手段が送りねじやラックピニオン機構により構成されることから、簡易構造にして表示板と回転体との相対移動を良好に行うことができる。
【００１９】
又、計時装置が２４時間で一回転する回転軸のほか、時針を取り付けた時針軸、分針を取り付けた分針軸、及び文字盤を備えることから、指標部による太陽方位、太陽高度のほか、正確な時刻を知ることもできる。
【発明を実施するための最良の形態】
【００２０】
以下、図面に基づいて本発明を詳しく説明する。先ず、本発明に係る時計の基本構造について説明すると、図１は本発明に係る時計の正面概略図であり、図２には同時計の縦断面を示す。
【００２１】
図１、図２において、１は係る時計の外装を成すケースである。本例において、ケース１は合成樹脂や木材から形成される円形の硬質構造物とされ、その内部には図２のように計時装置２が収容される。
【００２２】
計時装置２は、時間を測定するべく乾電池等を電源として等時的に駆動される歯車等を内部に組み込んだユニット式であり、その部位には外部に突出する回転軸３が設けられ、その回転軸３が内部機構により２４時間で一回転する構成とされている。
【００２３】
そして、計時装置２の回転軸３には円盤状の回転体４が取り付けられ、その回転体４が回転軸３の駆動力を得て該回転軸３を中心に一日（２４時間）で一回転するようになっている。本例において、回転体４は計時装置２等を遮蔽するべく光不透過性の板材から形成され、その表面における偏心位置には太陽を模した赤丸印の指標部５（図１参照）が設けられる。尚、その指標部５は回転体４の一部に着色を施すことによって形成されるが、これに代えて粘着シールを貼付したり、回転体４に穿孔を施したりするなどしてもよい。そして、係る指標部５は、回転軸３の回転により該回転軸３の周囲を一日（２４時間）で一周するのであり、その様子が外部から視認可能とされる。
【００２４】
一方、６は計時装置２の回転軸３に直交する状態に設けられる表示板、７は表示板６を保持する保持枠であり、その保持枠７はビス等によってケース１に取り外し可能に固定され、表示板６にはこれと平行な面内で回転体４が近接するようになっている。
【００２５】
表示板６は、ケース１の前面開口部分を塞ぐカバープレートとして兼用される光透過性を有した板材で、該表示板６には図１に示されるようその中央領域Ｓｃから外方に広がる複数条の境界線Ｌが付されており、それら境界線Ｌにより中央領域Ｓｃの周囲が１２の時間帯領域Ｓｔに区分けされると共に、その各時間帯領域Ｓｔが補助線ｒによりそれぞれ二分されている。又、各時間帯領域Ｓｔには時刻や方位を表す十二支名が割り付けられ、その十二支名が表示板６の中央領域Ｓｃを囲んだ状態で周方向に順に表記されるようになっている。尚、本例では十二支名が各時間帯領域Ｓｔに対応して表示板６の周縁部分に記されるが、これを表示板６の各時間帯領域Ｓｔに対応する位置で保持枠７に表示するようにしてもよい。
【００２６】
そして、回転体４に付した指標部５が時間の経過と共に各時間帯領域Ｓｔ内を順次移動するが、その指標部５が表示板６越しに透視可能とされ、当該表示板６における各時間帯領域Ｓｔに対する指標部５の位置からその時点における実際の太陽方位や時刻を大まかに知見できるようになっている。尚、図１における点線は指標部５の軌道を示しているが、図１では係る指標部５が「卯」を割り付けた時間帯領域Ｓｔの補助線ｒ（地平線を意味する）上にあって、太陽が東の空に現出したことをあらわしている。
【００２７】
ここに、本発明に係る時計では、季節によって変化する昼夜の時間差や太陽高度も表現できるよう、表示板６に対する回転軸３の相対位置を変更可能とするスクロール手段が設けられる。
【００２８】
特に、係るスクロール手段として、本例では計時装置２を保持する枠組みをスライダ８とし、これに固定したナット９に対してケース１に回転自在に保持される送りねじ１０を螺入し、その回転操作によりスライダ８に保持された計時装置２とその回転軸３に固定された回転体４とが回転軸３に直交する送りねじ１０の軸方向に移動する構成としてある。尚、ケース１には、その内部が露呈せぬよう図２のように回転体４の裏側で該回転体４の移動範囲をカバーする遮蔽板１１が固定される。又、送りねじ１０の一端は、回転操作用の竜頭１０Ａとしてケース１の外部に突出されると共に、ケース１には図３のようにスライダ８の移動案内をする一対のガイド板１２が設けられ、その両ガイド板１２の間でスライダ８が摺動自在に支持されるようにしてある。
【００２９】
一方、図１に示すように、表示板６の中央領域Ｓｃには、該表示板６と指標部５の回転中心を成す回転軸３との相対位置関係を示すスケール部１３が設けられる。スケール部１３は１〜１２までの月数を表す目盛を付した印刷パターンであり、これは「午」と「子」の時間帯領域Ｓｔを結ぶ直線（補助線ｒ−ｒ）に沿って延びる帯状の輪郭を有し、その長さ方向は回転軸３を備えた計時装置２と回転体４との移動方向に一致され、該スケール部１３の内側に回転軸３の位置を示す基点Ｏが現れるようになっている。尚、基点Ｏは回転軸３に対応する位置で回転体４の表面に点状のマークを付して成るが、その基点Ｏを回転体４の表面上に貫通させた回転軸３自体の先端部としたり、回転体４を回転軸３に固定するビス等の頭部としたりすることもできる。又、スケール部１３には１月から１２月まで記されるが、これに代えて「春夏秋冬」などの文字を記入したり、単なる目盛線のみにしたりしてもよい。
【００３０】
そして、以上のような時計によれば、スクロール手段により計時装置２および回転体４を一体として移動させて、表示板６に対する回転軸３の相対位置を変更することにより、表示板６上における指標部５の表示位置を季節に応じて変化させることができる。
【００３１】
図４は一年で夜の時間帯が最も長くなる季節（冬至の前後）に対応して回転軸３（基点Ｏ）を表示板６の偏心位置に移動させた状態を示し、図５は一年で昼の時間帯が最も長くなる季節（夏至の前後）に対応して回転軸３（基点Ｏ）を表示板６の偏心位置に移動させた状態を示す。尚、図１は回転軸３（基点Ｏ）の位置が表示板６の中心にある状態で、これは昼夜の時間が同一となる季節（春分および秋分の前後）に対応する。
【００３２】
ここに、係る時計の作用を説明する。先ず、図１において、指標部５は回転軸３（基点Ｏ）を中心に点線で示される円軌道を２４時間で一周するが、回転軸３（基点Ｏ）が表示板６の中心に位置するため、「卯」と「酉」の時間帯領域Ｓｔに引かれる補助線ｒを結ぶ直線を中心して、それよりも上方の「午」などの時間帯領域（以下、それらを総称して日照領域とする）と、それより下方の「子」などの時間帯領域（以下、それらを総称して日没領域とする）との間で、指標部５が通過する時間は等しくなる。尚、表示板６の半分の領域を成す上記の日没領域では、同領域を着色して半透明にすることが好ましく、これにより昼夜の区別を明確にすることができる。
【００３３】
次に、図４において、回転軸３（基点Ｏ）は表示板６の中心より下の日没領域に位置しているので、これを中心にして回転移動する指標部５は日照領域の通過時間より日没領域の通過時間が長くなり、しかも日照領域において指標部５の軌道の高さが図１の場合よりも低くなる。
【００３４】
又、図５において、回転軸３（基点Ｏ）は表示板６の中心より上の日照領域に位置しているので、これを中心にして回転移動する指標部５は日照領域の通過時間が日没領域の通過時間より長くなり、しかも日照領域において指標部５の軌道の高さが図１の場合よりも高くなる。
【００３５】
このように、係る時計によれば、時間によって変化する太陽方位のみならず、季節的に変動する太陽高度、ならびに日の出、日の入りを適切にあらわすことができる。尚、表示板６には太陽をあらわす一つの指標部５ほか、その軌道上に数個の目印を付すようにしてもよく、この場合には指標部５の軌道が明確となるほか、日没までの時間を予想することも可能になる。
【００３６】
ここで、表示板６の作成例について説明すれば、先ず上記の時間帯領域Ｓｔの下図として、図６(ａ)〜(ｃ)のように半径の等しい３つの円Ｃ１〜Ｃ３を描き、そのうち一つの円Ｃ１にて、その円周を図６(ａ)のように点Ｐ１にて２４等分する。一方、円Ｃ２については、その中心線ｍ１を冬至の日の出時刻と日の入り時刻から割り出される昼夜の時間比と同じ比率に分け、その分割点Ｐ２の位置で中心線ｍ１に直角な線ｍ２を引き、その線ｍ２で分けられる２つの円弧を図６(ｂ)のように点Ｐ１にてそれぞれ１２等分する。又、円Ｃ３については、その中心線ｍ１を夏至の日の出時刻と日の入り時刻から割り出される昼夜の時間比と同じ比率に分け、その分割点Ｐ３の位置で中心線ｍ１に直角な線ｍ２を引き、その線ｍ２で分けられる２つの円弧を図６(ｃ)のように点Ｐ１にてそれぞれ１２等分する。
【００３７】
その後、図６(ｄ)のように３つの円Ｃ１〜Ｃ３の線ｍ１，ｍ２を重ね合わせ、次いでその中央部に例えば図６(ｅ)の如く楕円を描き、その周縁から各円Ｃ１〜Ｃ３の点Ｐ１を結ぶ線Ｌを引き、これを基にして図示せぬ印刷用の原版を作成する。そして、その原版を利用して透明な板材に印刷を施すことにより上記のような表示板６を得ることができる。
【００３８】
以上、本発明に係る時計の基本構造について説明したが、スクロール手段として、送りねじ１０を省略し、スライダ８の一部をケース１の外部に突出させ、これを手で押して直接移動させるようにしてもよい。
【００３９】
又、上記のような手動操作式のスクロール手段に代えて、表示板６に対する回転軸３の相対位置変更を自動的に行うこともできる。その一例を図７〜図８に示して説明すれば、１４は一年で一回転するギヤであり、このギヤ１４には半円弧状の歯部１４Ａが形成される。又、ケース１には送りねじ１０の反対側で別の送りねじ１５が回転自在に保持され、その両送りねじ１０，１５がスライダ８のナット９に螺入されている。特に、それら送りねじ１０，１５にギヤの歯部１４Ａと噛合うピニオン１６，１７が固着され、それらピニオン１６，１７と歯部１４Ａとの噛合いが半年毎に切り替わるようになっている。これによれば、一方のピニオン１６と歯部１４Ａが噛合っているとき、スライダ８とこれに保持される計時装置２を図８の右方に移動させ、ギヤ１４の回転によりその歯部１４Ａが他方のピニオン１７に噛合ったときにはスライダ８とこれに保持される計時装置２を上記とは逆の方向に移動させることができる。尚、図７では表示板６などを省略した状態で示している。又、本例では回転軸３と同心にして一年で一回転する軸１８が計時装置２に設けられ、その軸１８にギヤ１４が固着される構成とされるが、ギヤ１８をケース１で回転自在に保持し、ギヤ１８が一年周期で回転するようこれに図示せぬ歯車などを通じて回転軸３などの回転力を伝達するようにしてもよい。
【００４０】
次に、図９および図１０により、通常の時刻表示機能を組み合わせた構成例について説明する。本例において、計時装置２は、２４時間で一回転する回転軸３のほか、これと同心の固定軸１９、時針軸２０、分針軸２１、及び秒針軸２２を備え、１２時間で一回転する時針軸２０に時針２０Ａ、１時間で一回転する分針軸２１に分針２１Ａ、一分で一回転する秒針軸２２に秒針２２Ａがそれぞれ取り付けられる。又、時針２０Ａや分針２１Ａの裏側で、固定軸１９には文字盤２３が固着される。そして、その文字盤２３の周縁部には時刻を表す数字として、例えば「１２」を筆頭に、「３」、「６」、「９」が９０度間隔に記される。
【００４１】
又、図１０のように、保持枠７には上記表示板６とは別の透明なカバープレート２４が保持され、表示板６はカバープレート２４の裏側でケース１内に固定配置される。尚、図１０に示される構成例では、回転体４が表示板６や文字盤２３の表面側で回転軸３に取り付けられるところ、これに透明板が用いられ、指標部５が印刷等により表される。
【００４２】
ここで、図１０、図１１のように、スクロール手段としてラックピニオン機構を利用することもできる。詳しくは、ガイド板１２の一方を部分的に切り欠いて長孔１２Ａを形成すると共に、スライダ８の側面には長孔１２Ａに嵌るラック２５が形成される。又、ケース１の底面にはラック２５に噛合うピニオン２６の軸部が回転自在に保持されると共に、その軸部の一端が回転操作用の竜頭２６Ａとしてケース１の外部に突出される。そして、係るスクロール手段でも、ピニオン２６を回転操作することにより、計時装置２及び回転体４と表示板６とを相対的に移動させて、表示板６に対する回転軸３の相対位置を季節に応じて変更することができる。
【００４３】
尚、図９、図１０のように、表示板６には回転軸３の移動を許容するよう該回転軸３の移動方向に沿ってスリット６Ａが形成される。又、スケール部１３の変更例として、図１２のようにケース１の底部には上記スリット６Ａと同じ向きのスリット１Ａが穿設され、そのスリット１Ａに計時装置２から突出されるピン状の基点Ｏが嵌め込まれるようになっている。そして、このようなスケール部１３でも、これを見ながら竜頭２６Ａの回転操作を行って、図９に示される指標部５の軌道がその時点における日の出、日の入り時刻に合うように回転軸３を適切な位置に調整することができる。
【００４４】
次に、図１３は表示板６を可動式とした例である。尚、図１３の構成は図１０の一部を変更したものであるから、ここでは変更箇所のみ説明する。図１３において、表示板６の裏面にはナット２７が固定され、そのナット２７に送りねじ２８を螺入することによりスクロール手段が構成される。但し、表示板６には計時装置２の回転軸３が貫通されるところ、その貫通部分で表示板６には送りねじ２８の軸方向に沿って上記と同様にスリット６Ａが形成される。又、図１３において、ケース１の底部には上記のスライダ８に代えて外周に歯部をもつ円形の台座２９（リングギヤなど）が回転自在に設けられ、これに計時装置２が保持される構成となっている。尚、台座２９の回転中心は計時装置２の回転軸３と同心とされる。そして、ケース１の底面には台座２９に噛合うピニオン３０の軸部が回転自在に保持されると共に、その軸部の一端が回転操作用の竜頭３０Ａとしてケース１の外部に突出される。
【００４５】
ここで、図１３のような時計でも、送りねじ２８の回転操作により表示板６を回転軸３の直交方向に移動させて、その表示板６に対する回転軸３の相対位置を変更できるほか、ピニオン３０の回転操作により、計時装置２を回転させて本時計の使用地域（経度の相違）による指標部の表示誤差を補正することができる。
【００４６】
つまり、日本を例にすると、その標準時間は東経１３５度を基準にしているところ、東経１３５度地点では太陽の南中時刻が標準時の１２時（正午）に合致するが、東経１３９度地点では標準時の１２時において太陽の南中時刻を既に過ぎており、時差にして約２０分遅れていることになる。
【００４７】
よって、東経１３９度地点では、標準時の１２時において表示板６に設けられる指標部（図１３では不図示）が南中位置を指示するようになるが、その時点において実際の太陽は南中位置にあらず、角度にして約５度の誤差を生ずる。そこで、東経１３９度地点では、標準時の１２時より約２０分前の１１時４０分の時点において、ピニオン３０を回転操作し、これにより計時装置２とその回転軸３に取り付けられる回転体４を約５度進めて指標部の位置を南中位置（午の時間帯領域の中央）に合わせるのであり、これにより経度による表示誤差を補正することができる。
【００４８】
尚、図１３の例では計時装置２を回転させるようにしたが、表示板６を回転させる構成にしても経度による表示誤差を補正することができる。又、その種の補正手段を設けず、表示板６や回転体４の組立時に際して予め使用地域に応じた補正を行っておくようにしてもよい。
【００４９】
次に、図１４および図１５は、計時装置２や表示板６に隣接して地軸表示具３１を設けた例を示す。図１４、図１５のように、計時装置２を保持するスライダ８にはガイド板１２を貫通する鍔８Ａが形成され、その端面にラック３２が取り付けられている。又、ケース１内には外周に歯部を有するロータ３３が設けられ、その中心軸部３３Ａがケース１の表面より外部に突出され、その軸端に地軸をあらわす指針３４が固定されている。これによれば、計時装置２を保持したスライダ８の移動時に、その動力がラック３２からロータ３３に伝達され、しかしてロータ３３の回転角変位で指針３４の傾きが変化するので、その指針３４により、太陽に対する地軸の季節的な傾き変化を表現することができる。尚、ロータ３３への伝動方式として、上記のような噛合伝動方式のほか、摩擦伝動方式を採用することもできる。
【００５０】
以上、本発明について説明したが、回転体４は円盤状とすることに限らず、これを針状にしてその先端部に太陽等を模した指標部５を設けるようにしてもよい。又、表示板６は図１６のようにその全体を回転体４との相対移動に対して縦長の長円形などとして差し支えない。
【図面の簡単な説明】
【００５１】
【図１】本発明に係る時計の正面概略図
【図２】図１に示した時計の縦断面図
【図３】スクロール手段を示す構造説明図
【図４】図１に示した時計の使用態様（冬至前後）を示す説明図
【図５】図１に示した時計の使用態様（夏至前後）を示す説明図
【図６】表示板の作成例を示す説明図
【図７】本発明に係る時計の変更例を示す部分断面図
【図８】スクロール手段の変更例を示す構造説明図
【図９】本発明に係る時計の変更例を示す正面概略図
【図１０】図１０に示した時計の縦断面図
【図１１】スクロール手段の変更例を示す構造説明図
【図１２】スケール部の構成例を示す説明図
【図１３】本発明に係る時計の変更例を示す断面図
【図１４】本発明に係る時計の変更例を示す断面概略図
【図１５】図１４に示した時計の正面概略図
【図１６】本発明に係る時計の変更例を示す正面概略図
【符号の説明】
【００５２】
１  ケース
２  計時装置
３  回転軸
４  回転体
５  指標部
６  表示板
８  スライダ
１０  送りねじ
１２  ガイド板
１３  スケール部
１５  送りねじ
２０  時針軸
２０Ａ  時針
２１  分針軸
２１Ａ  分針
【図１】
2008046055.tif 000003
【図２】
2008046055.tif 000004
【図３】
2008046055.tif 000005
【図４】
2008046055.tif 000006
【図５】
2008046055.tif 000007
【図６】
2008046055.tif 000008
【図７】
2008046055.tif 000009
【図８】
2008046055.tif 000010
【図９】
2008046055.tif 000011
【図１０】
2008046055.tif 000012
【図１１】
2008046055.tif 000013
【図１２】
2008046055.tif 000014
【図１３】
2008046055.tif 000015
【図１４】
2008046055.tif 000016
【図１５】
2008046055.tif 000017
【図１６】
2008046055.tif 000018